(57)【要約】【課題】ピロー包装袋と同様に、筒面部の両側が折り癖が付与されたループになっていて背貼りシールが有り、かつ、スタンドパウチのように底ガセットを有する形態の底ガセット付き自立性袋。【解決手段】両側が折り癖が付与されたループになっている扁平筒と、上端及び両側が閉じていて下端が開いている矩形なポケット形状である底ガセットであって、前記扁平筒内の底部に収容され両側が扁平筒の内面両側に略一致し両側の面の上縁を除く三方の端縁を扁平筒の内面に接着されていて開袋時に展開して底面部を構成する底ガセットとからなる。【選択図】  図１
2004161288.tif 000002
【特許請求の範囲】
【請求項１】
両側が折り癖が付与されたループになっている扁平筒と、上端全長及び両側の少なくとも上部が閉じていて下端が開いているポケット形状であるか又は折り返し端が上端になる二つ折りであるか又は密着面の上端が接着されている二枚重ねである底ガセットであって、前記扁平筒内の底部に収容され両側が扁平筒の内面両側に略一致し両側の面の上縁を除く三方の端縁を扁平筒の内面に接着されていて開袋時に展開して底面部を構成する底ガセットとからなることを特徴とする底ガセット付き自立性袋。
【請求項２】
袋の上端開口にスパウトを付けてなることを特徴とする［請求項１］に記載の底ガセット付き自立性袋。
【請求項３】
袋の上端開口内にジッパを備えていることを特徴とする［請求項１］に記載の底ガセット付き自立性袋。
【請求項４】
袋の上部がトリミングされて、液体又粘性体の内容物を収容する広い幅の開口と先端がヒートシールにより閉じられていて購入後に切り開いて内容物を注出する狭い幅の注出路を有することを特徴とする［請求項１］に記載の底ガセット付き自立性袋。
【請求項５】
［請求項１］乃至［請求項４］に記載の底ガセット付き自立性袋の上端開口より被包装物を袋内に収容して開口を閉じてなることを特徴とする底ガセット付き自立性包装体。
【発明の詳細な説明】
【０００１】
【産業上の利用分野】
本願発明は、ピロー包装袋と同様に、筒面部の両側が折り癖が付与されたループになっていて、かつ、スタンドパウチのように底ガセットを有する形態の底ガセット付き自立性袋に関する。
【０００２】
【従来の技術】
三方包装袋は、両側が折り癖が付与されたループになっていて接続シール（背貼りシール）が後面部に縦方向に有する扁平筒の下端がボトムシールされ、被包装物を収容し上端開口をトップシールする袋である。
他方、例えば特開２０００−１１８５４３において見られるように、従来のいわゆるスタンドパウチと称する底ガセット付き自立性袋は、前面部と後面部の下部に内面が外向きで外面が密着する二つ折りである底ガセットがサンドイッチされ、前面部の両側縁と後面部の両側縁とが上端から下端まで合掌状にヒートシールされ両側にリブを有する構成である。又、前面部と二つ折りの底ガセットと後面部の四枚の重なりに対して両側外方からシール形状が吊り橋形状となるようにボトムヒートシールが施され、このシール時に、前面部と後面部の下部両側が開いてしまわないように前記底ガセットに設けた孔又は半円カットを通して前面部の下部側縁と後面部の下部側縁が直接ヒートシールされている構成である。
【０００３】
【発明が解決しようとする課題】
三方包装袋は、両側がループになっていて掌に当たる触感が柔らかいというメリットがあるが、自立性を有していない。
上記の底ガセット付き自立性袋は、両側にヒートシールリブを有するので大きく開くことはできないから、収容空間を大きく確保できず、その分、袋が大きくなっている。又、両側のヒートシールリブはナイフエッジのように掌に当たる触感を与える。
【０００４】
本願発明は、ピロー包装袋と同様に、筒面部の両側が折り癖が付与されたループになっていて背貼りシールが有り、かつ、スタンドパウチのように底ガセットを有する形態の底ガセット付き自立性袋を提供することを解決課題としている。
本願発明は、ピロー包装袋のような背貼りシールがなく、スタンドパウチのように底ガセットを有する形態の底ガセット付き自立性袋形態の底ガセット付き自立性袋を提供することを解決課題としている。
本願発明は、三方包装袋と底ガセット付き自立性袋の中間に位置する袋として、両側が折り癖が付与されたループになっていて束ね性が良く、背貼りシールが有る扁平袋でありながら、底ガセットが有る自立性袋を提供することを解決課題としている。
本願発明は、両側にナイフエッジのように掌に当たる触感を与えるヒートシールリブを有する従来のスタンドパウチとは異なり、三方包装袋と同様に背貼りシールを有し両側がループになっている構成であり、両側がループになっているので掌に軟らかい触感を与えるとともに、開袋すると大きく開くことが容易であり最大では円筒状に開袋できる自立性を有し収容空間を大きく確保できてその分、袋を小さくすることができ、箱詰めや展示スペースにおいて実質的に省スペースになるのでメリットがある、底ガセット付き自立性袋を提供することを解決課題としている。
【０００５】
【課題を解決するための手段】
［請求項１］に記載の発明は、両側が折り癖が付与されたループになっている扁平筒と、上端全長及び両側の少なくとも上部が閉じていて下端が開いているポケット形状であるか又は折り返し端が上端になる二つ折りであるか又は密着面の上端が接着されている二枚重ねである底ガセットであって、前記扁平筒内の底部に収容され両側が扁平筒の内面両側に略一致し両側の面の上縁を除く三方の端縁を扁平筒の内面に接着されていて開袋時に展開して底面部を構成する底ガセットとからなることを特徴とする底ガセット付き自立性袋である。
［請求項２］に記載の発明は、袋の上端開口にスパウトを付けてなることを特徴とする［請求項１］に記載の底ガセット付き自立性袋である。
［請求項３］に記載の発明は、袋の上端開口内にジッパを備えていることを特徴とする［請求項１］に記載の底ガセット付き自立性袋である。
［請求項４］に記載の発明は、袋の上部がトリミングされて、液体又粘性体の内容物を収容する広い幅の開口と先端がヒートシールにより閉じられていて購入後に切り開いて内容物を注出する狭い幅の注出路を有することを特徴とする［請求項１］に記載の底ガセット付き自立性袋である。
［請求項５］に記載の発明は、［請求項１］乃至［請求項４］に記載の底ガセット付き自立性袋の上端開口より被包装物を袋内に収容して開口を閉じてなることを特徴とする底ガセット付き自立性包装体である。
【０００６】
【発明の実施の形態】
［請求項１］に記載の底ガセット付き自立性袋の実施の形態を図１乃至図３を参照して説明する。図１（ａ）は袋の後面図であり、図１（ｂ）は袋の分解図である。図２は、底ガセットの構成を説明するための折り込み工程図を示す。図３は、底ガセット付き自立性袋の上端開口より被包装物を袋内に収容して開口を閉じてなる底ガセット付き自立性包装体を後面側上方より見た斜視図である。
【０００７】
図１（ａ）に示すように、この底ガセット付き自立性袋Ｐ１Ａは、扁平筒１ａと底ガセット１ｂとからなる。
扁平筒１ａは、図１（ｂ）に示すように、左右の縦線１１，１１で折り返され両側が折り癖（ヘム）が付与されたループ（無端状の折り返し）になっていて包材両縁が後面部の幅中央で突き合され、両端縁の隙間を隠蔽するように内側に両面ヒートシール性を有する接続テープＴが当てがわれて縦ヒートシール（背貼りシール）が施されてなる。
両側が折り癖が付与されたループになっていることに限定しているのは、両側縁に丸みがある薄い板に包材を巻いて両端を閉じ合わせて薄い板を引き抜けば、両端に折り癖が付与されずループである扁平筒とすることができるが、そのような扁平筒では扁平形状の輪郭がタイトにならず、積み重ねて束ねることに適さないからである。
【０００８】
扁平筒１ａは、図では接続テープＴを用いセパレータ（図示しない）を用いて背貼りシールを行なっているが、接続テープＴを用いないで、包材両縁を合掌状又は封筒貼り状に背貼りシールしてもよい。
扁平筒１ａを構成する包材は、内面がヒートシール性を有する積層包材を用いるのが好ましい。扁平筒１ａの背貼りシールを封筒貼りとする場合には、両面ヒートシール性を有する積層包材又は単層包材を用いる。
【０００９】
底ガセット１ｂは図２（ａ）に示すタイプのものが使用されている。
この実施の形態では、底ガセット１ｂを構成する包材は、内面がヒートシール性を有し外面がヒートシール性を有しない積層包材を用いている。
底ガセット１ｂは、扁平筒１ａ内の底部に収容されヒートシール性を有する内面が外向きで扁平筒１ａの内面に合わさりヒートシール性を有しない外面が密着するように二つ折りされ両側が扁平筒１ａの内面両側に一致し折り返し端縁以外の両面三方の縁を扁平筒１ａの内面にヒートシールされ開袋時に展開して底面部を構成する。
【００１０】
特に、この実施の形態の底ガセット１ｂは、ポケット形状のものが扁平筒１ａに対して取り付けられている。ポケット形状とは、包材が二つ折りとされ上端が折り返しになっていてかつ側縁の全長又は折り返し縁から連続して両側上隅が例えば５ｍｍの長さ閉じている形状を言う。
この実施の形態の底ガセット１ｂは、包材が二つ折りとされかつ両側の全長が閉じている形態、具体的には、図２（ａ）、（ｂ）又は（ｃ）に示すポケット形状のものが好ましい。
図２（ａ）  に示すポケット形状は、矩形な主面部の両側に三角形をした折り重ね面部を有する六角形の包材よりなり、両側の折り重ね面部を主面部に対して外面同士が密着するように折り重ねてからさらに折り重ね面部の折り重ね方向に対し直角方向に折り重ね面部の内面同士及び矩形部の外面同士が重なるように二つ折りにして両側の折り重ね面部の内面同士をヒートシールしてなる。
図２（ｂ）  に示すポケット形状は、矩形な主面部の両側に細幅な矩形をした折り重ね面部を有する四角形の包材よりなり、両側の折り重ね面部を主面部に対して外面同士が密着するように折り重ねてからさらに折り重ね面部の折り重ね方向に対し直角方向に折り重ね面部の内面同士及び矩形部の外面同士が重なるように二つ折りにして両側の折り重ね面部の内面同士をヒートシールしてなる。
図２（ｃ）  に示すポケット形状は、矩形な主面部の両側に台形をした折り重ね面部を有する八角形の包材よりなり、両側の折り重ね面部を主面部に対して外面同士が密着するように折り重ねてからさらに折り重ね面部の折り重ね方向に対し直角方向に折り重ね面部の内面同士及び矩形部の外面同士が重なるように二つ折りにして両側の折り重ね面部の内面同士をヒートシールしてなる。
【００１１】
ポケット形状は、図２（ａ）、（ｂ）又は（ｃ）の三例に限定されない。例えば、インフレーションチューブの短い扁平筒の上端をヒートシールしたものであってもよい。インフレーションチューブは両面ヒートシール性があるが、扁平筒１ａと底ガセット１ｂとのヒートシールに当たって底ガセット１ｂのポケットに薄板からなるセパレーターを差し込んで行なうと、底ガセット１ｂの下端が閉じられてしまうことがなく、ポケット形状が確保される。
【００１２】
底ガセット１ｂは、扁平筒１ａの下部に収容され扁平筒１ａの内面との間でボトムヒートシールされるポケット形状であれば良く、ヒートシール性を有する内面が外向きで扁平筒１ａの内面に合わさりヒートシール性を有しない外面が密着するように二つ折りされるポケット形状であることに限定されない。底ガセット１ｂのポケット形状はパートコートされた接着剤により実現されていても良く、並びに扁平筒１ａと底ガセット１ｂとの接着もパートコートされた接着剤により実現されていても良い。
具体的には、ヒートシール性を有しない矩形な包材の密着面側の三方の縁に予めホットメルトをパートコートしておいて、該矩形な包材を二枚重ねにして加熱して接着してポケットを作り、引き続きさらに、両面の同じ三方の縁に予めホットメルトをパートコートしておくものを底ガセット１ｂとすることができる。この場合には、扁平筒１ａの内面にヒートシール性を持たせなくても良い。従って、扁平筒１ａの包材は、紙の内面にポリエチレンを積層したもので、底ガセット１ｂの包材は、紙の両面にポリエチレンを積層したものが採用できるし、或いは、扁平筒１ａと底ガセット１ｂの包材を紙として、ポケットを作るためののり代やボトムヒートシールするためののり代にホットメルトのパートコートを行なったものが採用できる。ごみ袋とするには、特に、紙に防水コートを行ないかつ底ガセット１ｂについては厚手の紙とすることが望ましい。
【００１３】
扁平筒１ａと底ガセット１ｂとのヒートシールは、底面部の内面周縁を扁平筒１ａの内面に溶着するボトムヒートシールである。このボトムヒートシールの形状は、少なくとも外向き両面の両側縁と下縁の三方縁が扁平筒１内の内面に接着されていれば足りる。このボトムヒートシールの形状は、従来のスタンドパウチと同様に下向きに凸となる放物線の中央が袋幅中央に対応して袋下端から数ｍｍ乃至十数ｍｍ離れかつ放物線の両端が袋側縁に延びているように、該放物線の下側部分の面積をヒートシールされていることが好ましい。
【００１４】
図３（ａ）に示すように、底ガセット付き自立性袋の上端開口より被包装物を袋内に収容して開口をそのまま平たく閉じてなる底ガセット付き自立性包装体Ｐ１Ｂとしたときの、袋底面を下方から見たときの扁平筒１ａと底ガセット１ｂの開きは一体であり、楕円筒又は円筒、さらに角筒に開くことができる。理由は、従来のスタンドパウチでは扁平筒の前面部両側下部と後面部両側下部とが底ガセットに設ける孔を通してボトムヒートシールにより溶着され扁平として底ガセットの両側が開かないように構成することが必要であるのに対して、本願発明はそのような構成を採用する必要がないからである。
図２から分るように、ポケット形状の底ガセット１ｂは、内側にヒートシールリブができるが、袋底面から突出しないので、自立性を阻害しない。
図３（ｂ）に示すように、底ガセット付き自立性袋の上端開口より被包装物を袋内に収容して開口の両側にトップサイドガセットを入れて閉じてなる底ガセット付き自立性包装体Ｐ１Ｃとしても良い。
【００１５】
両側にナイフエッジのように掌に当たる触感を与えるサイドヒートシールリブを有する従来のスタンドパウチとは異なり、三方包装袋と同様に背貼りシールを有し両側がループになっている構成であり、両側がループになっているので掌に軟らかい触感を与えるとともに、開袋すると大きく開くことが容易であり最大では円筒状に開袋できる自立性を有し収容空間を大きく確保できてその分、袋を小さくすることができ、箱詰めや展示スペースにおいて実質的に省スペースになるのでメリットがある。
【００１６】
又、このボトムヒートシールの形状について、外向き両面の両側縁が例えば１〜２ｍｍの細幅でヒートシールされ、下縁が例えば５〜１０ｍｍの幅で扁平筒１内の内面に接着されていると、底ガセットを平面展開する矩形の底面形状に開くことができる。扁平筒１ａと底ガセット１ｂとのヒートシール形状によって、底面形状が決まる。
【００１７】
本願発明は、シート包材から扁平筒１ａを作ることに限定されるものではなく、インフレーションチューブを所要長さに切断して扁平筒１ａを作ることができる。底ガセット１ｂについても、インフレーションチューブを所要長さに切断して上端をヒートシールして作ることができ、この場合、扁平筒１ａのインフレーションチューブの内周が、底ガセット１ｂのインフレーションチューブの外周よりも例えば０．５〜２ｍｍ大きいものとする。組付けは、扁平筒１ａの下部の前後面を一対のバキュームパッドによって開いておいて、底ガセット１ｂをジャバラ状にして扁平筒１ａの下部内に差し込み、扁平筒１ａの下部を開いている一対のバキュームパッドの吸引を解くと共に、ポケット形状の底ガセット１ｂを平たく戻し、底ガセット１ｂの両側を扁平筒１ａの両側に一致させかつ底ガセット１ｂの下端を扁平筒１ａの下端に一致させ、インフレーションチューブは両面ヒートシール性があるから底ガセット１ｂのポケットに幅一杯に断熱性の薄い板を差し込み、この状態で、両面外方からボトムシール形状の一対のヒートシーラーを挟圧してボトムシールを行なうことで、ピロー包装袋のような背貼りシールがなく、スタンドパウチのように底ガセットを有する形態の底ガセット付き自立性袋を製袋できる。
【００１８】
図４は、［請求項１］に記載の発明の第二の実施の形態の底ガセット付き自立性袋の後面部を見たものである。この袋Ｐ２Ａの図１に示す袋Ｐ１Ａと比べて相違している点は、扁平筒２ａの背貼りシールＳ１が側縁一杯に寄って設けられていること、背貼りシールＳ１が一方の側縁の外面に他方の側縁が重なりヒートシールされてなる封筒張りであること、底ガセット２ｂが図２（ｂ）に示すタイプであること、扁平筒２ａと底ガセット２ｂとのボトムヒートシールＳ２が下端水平線シールと両隅の斜め線シールとなっていることである。
【００１９】
続いて、［請求項１］に記載の底ガセット付き自立性袋の第三の実施の形態を図５乃至図７を参照して説明する。図５（ａ）は袋の後面図であり、図５（ｂ）は袋の分解図である。図６は、底ガセットの構成を説明するための折り込み工程図を示す。図７は、底ガセット付き自立性袋の上端開口より被包装物を袋内に収容して開口を閉じてなる底ガセット付き自立性包装体を後面側上方より見た斜視図である。
【００２０】
図４（ａ）に示すように、この底ガセット付き自立性袋Ｐ３Ａは、扁平筒３ａと底ガセット３ｂとからなる。
扁平筒３ａは、図１で示す底ガセット付き自立性袋Ｐ１Ａの扁平筒１ａと同一に構成することができる。すなわち、図４（ｂ）に示すように、扁平筒３ａは、左右の縦線３１，３１で折り返され両側が折り癖（ヘム）が付与されたループ（無端状の折り返し）になっていて包材両縁が後面部の幅中央で突き合され、両端縁の隙間を隠蔽するように内側に両面ヒートシール性を有する接続テープＴが当てがわれて縦ヒートシール（背貼りシール）が施されてなる。
【００２１】
底ガセット３ｂは、図１に示す底ガセット付き自立性袋Ｐ１Ａの底ガセット１ｂとは相違している。
この実施の形態の底ガセット３ｂは、前記扁平筒を広げたときの円形、楕円形又は矩形を占める形状の周囲にシートシール代を有する適宜形状の包材よりなり、内面が外向きで外面が密着する二つ折りとされただけで、両側と下端が閉じていないものが扁平筒３ａに対して取り付けられている。この実施例の底ガセット３ｂを構成するための包材を二つ折りする前の形状は、矩形に限定されるものではなく、ボトムヒートシールの形状との関係において、立体的に開袋したときの底面部の形状を含み、その周囲に扁平筒３ｂとのボトムヒートシールが行なわれるためのシートシール代を有する形状であれば足りる。
さらに、包材を二つ折りにしたものではなく、包材を二枚重ねとして密着面の上端が接着されている底ガセットとしても良い。さらに、前述したように、ホットメルトを用いて予めパートコートした底ガセットとすることもできる。
【００２２】
この実施例の底ガセット３ｂは、図１で示す底ガセット付き自立性袋Ｐ１Ａの底ガセット１ｂと同様のボトムヒートシールの形状に、すなわち、扁平筒３ａとのボトムヒートシールの形状が、少なくとも外向き両面の両側縁と下縁の三方縁が扁平筒２ａの内面に接着される。
【００２３】
この実施例の底ガセット３ｂは、両側が閉じていないので、二つ折りとする折り返しの稜の両端でピンホールが生じないようにするために、両側縁のヒートシールの上端を底ガセット３ｂの折り返しの稜よりも上に突出シール部Ｓ２’が延在するように設けられている。突出シール部Ｓ２’は袋の前面部と後面部が直接溶着している箇所であり、立体的に開袋したとき突出シール部Ｓ２’が扁平に閉じたままになり袋に括れができて外観を阻害することになるからピンホールの発生を回避できる必要最小限の大きさに留めることが望ましい。
被包装物が団塊状であり、かつ、袋に密封性を備える必要がない場合にはこの突出シール部Ｓ２’は不要である。
【００２４】
図７（ａ）に示すように、底ガセット付き自立性袋の上端開口より被包装物を袋内に収容して開口を閉じてなる底ガセット付き自立性包装体Ｐ３Ｂとしたときの、袋底面を下方から見たときの扁平筒３ａの開きは底ガセット３ｂの両側で扁平に閉じた状態にはならず大きく開くことができ、全体形状として円形乃至角形になる。底ガセット３ｂの両側を閉じているヒートシールリブは袋底面から突出しないので、自立性を阻害しない。
図７（ｂ）に示すように、底ガセット付き自立性袋の上端開口より被包装物を袋内に収容して開口の両側にトップサイドガセットを入れて閉じてなる底ガセット付き自立性包装体Ｐ３Ｃとしても良い。
【００２５】
続いて、［請求項２］乃至［請求項４］に記載の底ガセット付き自立性袋を図８乃至図１０を参照して説明する。図８乃至図１０は、いずれも後面部を見たものである。
図８乃至図１０に示すいずれの底ガセット付き自立性袋Ｐ４Ａ、Ｐ５Ａ又はＰ６Ａは、図１及び図４示す底ガセット付き自立性袋と同様に、扁平筒４ａ、５ａ又は６ａと底ガセット４ｂ、５ｂ又は６ｂで構成されている。接続テープＴを用いないで、包材両縁を合掌状又は封筒貼り状に背貼りシールしてもよい。上端開口より被包装物を袋内に収容して開口を閉じてなる底ガセット付き自立性包装体としたときの、袋底面を下方から見たときの扁平筒の開きは、図３及び図７に示す底ガセット付き自立性袋の底面と同様に大きく開くことができる。
図８に示す底ガセット付き自立性袋Ｐ４Ａは、袋の上端開口にスパウトＱを差し込みトップシールＳ３を付けてなる。袋の両側がループになっているので、掌に軟らかい触感を与えるとともに、開袋すると大きく開くことが容易であり最大では円筒状に開袋できる自立性を有し収容空間を大きく確保できてその分、袋を小さくすることができ、箱詰めや展示スペースにおいて実質的に省スペースになるのでメリットがある。４ａは扁平筒であり、背貼りシールＳ１が一方の側縁に寄って封筒貼りのタイプになっていることが好ましい。４ｂは図２（ｂ）に示すタイプの底ガセットである。扁平筒１ａと底ガセット１ｂとのボトムヒートシールＳ２が下端水平線シールと両隅の斜め線シールとなっている。
図９に示す底ガセット付き自立性袋Ｐ５Ａは、袋の上端開口内にジッパＺを備えている。ジッパ付き袋は、粉粒体を包装するのに適し、全量を一度に袋から出さないので、ジッパＺで再封できるようになっているが、自立性を有することが望ましいから、この底ガセット付き自立性袋が適している。５ａは扁平筒、５ｂは底ガセットである。
図１０に示す底ガセット付き自立性袋Ｐ６Ａは袋の上部がトリミングされて、液体又粘性体の内容物を収容する広い幅の開口６１と先端がヒートシールにより閉じられていて購入後に切り開いて内容物を注出する狭い幅の注出口６２を有する。本願発明の特徴として、袋の両側がループになっているので、内容物を注入するための袋開口６１と注出口６２は一側がループの端縁となるから、いずれも大きく開くことが容易でありかつ開いた状態に維持できる。５ａは扁平筒であり、背貼りシールＳ１が袋開口６１側の側縁に寄って封筒貼りのタイプになっていることが好ましい。５ｂは底ガセットである。
【００２６】
図１、図４、図５に示す底ガセット付き自立性袋Ｐ１Ａ、Ｐ２Ａ、Ｐ３Ａは、ノッチを設けたり、カットテープを設けたり、あるいは、高圧蒸気の圧力で袋が膨張し限界に達したときにシール面が部分的に剥がれるか又は開くことができて高圧蒸気を逃がす機構を有する場合も含まれる。おにぎり包装やサンドイッチ包装等に用いる場合には、イージーオープン、並びに量産性の面から袋の正面部に縦に好ましく、正面部に中央に一本、又は、所要間隔を置いて左右配列に二本設ける。
【００２７】
図１、図４、図５に示す底ガセット付き自立性袋Ｐ１Ａ、Ｐ２Ａ、Ｐ３Ａを一袋ずつ作る方法は、底ガセット１ｂ、２ｂ又は３ｂを作り、該底ガセットを矩形包材の上面（内面）下部に載せて仮付け溶着し、該矩形包材の両側を折り返して両縁を縦シール（背貼りシール）Ｓ１を施して扁平筒１ａ、２ａ又は３ａとし、ボトムヒートシールＳ２を施すことを、ロータリー分業式に行なう装置を作れば効率的に達成できる。
【００２８】
図１、図４、図５に示す底ガセット付き自立性袋Ｐ１Ａ、Ｐ２Ａ、Ｐ３Ａを次々に連続して製袋する方法は、次のような装置で実現できる。
小さい辺が下側となるように例えば４５度の角度で傾斜する等脚台形板部を有し、該等脚台形板部の上縁（大きい辺）に上部水平板を延在し、上部水平板の等脚台形板部寄りに矩形スリットを設け、又、台形フォーマーの下縁（小さい辺）に下部水平板を延在してなるフォーマーを設け、原反から繰出すフィルムを段差ロールと蛇行装置に通してからフォーマーの上部水平板の上に摺動するように通し、さらに矩形スリットに通して等脚台形板部の下面を摺動するように通し、等脚台形板部の下部で余ってくるフィルムの両側を下部水平板を包み込む様に折込むことで、フィルム両縁が袋幅中央で突き合わさるようにして、扁平筒の底ガゼットは、上部水平板の上で扁平筒の下流側端をフィルムに貼着し、従って、扁平筒の底ガゼットは、等脚台形板部の下面を摺接して通り、さらに、下部水平板の下面を摺接して通り、下部水平板を通り過ぎたところで本体フィルムに包まれた状態として、下部水平板の上面で両面ヒートシール性を有する目張りテープフィルムをフィルム両縁の突き合わせ位置の内側に通して背貼りシールし、ボトムヒートシールを施してカットすることによって、底ガセット付き自立性袋の量産製造できる。
【００２９】
又、原反から繰出される扁平筒形成用包材を逆さ台形板フォーマーに掛けて包材両縁を折り畳んでいき、さらに、延長平行板を包み込むように扁平に折り畳んでいき、包材両縁をヒートシール接続して連続する扁平筒を形成し、他方、扁平筒形成用包材が間欠走行を停止する度に、逆さ台形板フォーマーよりも上流側で、扁平筒の幅一杯に収容される長さである底面部を構成するための筒状でかつ扁平であり筒外面がヒートシール性を有する底ガセットを扁平筒の幅に対応するように扁平筒形成用包材に載置し、製袋完了時に袋下端となるか又は袋側縁となる該底ガセットの端縁を扁平筒形成用包材に対して仮付けを施し、底ガセットを扁平筒形成用包材の間欠走行により移送して延長平行板の下流側で扁平筒内に位置させ、さらに下流側位置で、一対のボトムシール用ヒートシーラーで間欠停止する底ガセットに対応して扁平筒を挟圧することにより、少なくとも、底ガセットの内面であって二つ折りの外向きの両面の両側縁と下縁を扁平筒内の内面にボトムヒートシールを施し、続いて、各底ガセットの際で前後面用扁平筒を横に切り離しカットし、切り離しカットと同時に又は切り離した後に接続テープにより閉じられている端縁を僅少寸法切除して底ガセットを前面側の下端と後面側の下端が開けるようにすることによっても、底ガセット付き自立性袋を量産製造できる。
【００３０】
この方法では、細幅の連続する包材をシートシール性を有する内面が外側に来るように幅半分になるように二つ折りにして両端縁に、一層細幅の連続する両面シートシール性を有する包材を幅半分になるように二つ折りにして二つ折り包材を被せてヒートシールして細幅な扁平な筒を作り、この筒を底ガゼットを収容する扁平筒の内幅寸法に合わせてカットしてこれを底ガゼット構成部品として扁平筒内に一定間隔で収容して、ボトムヒートシールを施してカットし、この下端を数ｍｍ切り捨てると、底ガゼット構成部品の下端が開いてボトムガセットとなる。
この製袋装置は、給袋充填包装機をライン化することができる。
【００３１】
又、扁平筒形成用包材の内面に仮付けした底ガセットの二つ折りされた二つの面部のうち、扁平筒形成用包材の内面に仮付けされていない側の面部を逆さ台形板フォーマーと延長平行板との摺接で捲れない手段を施して、フォーマーの下流で連続する前後面用扁平筒に収容される底ガセットに対応して、少なくとも、底ガセットの二つ折りの外向き両面の両側縁と下縁を前後面用扁平筒内の内面にヒートシール接着し、さらに前後面用扁平筒の前面部と後面部の対向内面であって底ガセットの二つ折りの稜辺の両端点の外方所要範囲をヒートシール接着し、続いて、各底ガセットの際で前後面用扁平筒を横に切り離しカットすることによっても、底ガセット付き自立性袋を量産製造できる。
【００３２】
本発明の底ガセット付き自立性袋に好ましく使用できる複合フィルムの構成の具体例として以下のようなものが挙げられる。
（１）  ０Ｎ／ＡＤ／Ｌ  ＬＤＰＥ
（２）  ＯＮ／ＡＣ／（ＨＤＰＥ／ＬＬＤＰＥ）
（３）  ＯＮ・ＳｉＯＸ／ＡＣ／（ＨＤＰＥ／ＬＬＤＰＥ）
（４）  ＰＥＴ／ＡＤ／ＡＬ／ＡＤ／ＯＮ／ＡＤ／ＬＬＤＰＥ
（５）  ＰＥＴ／ＡＤ／ＡＬ／ＡＤ／ＯＮ／ＡＤ／Ｓ−ＰＥ
（６）  ＰＥＴ／ＡＤ／ＡＬ／ＡＤ／ＯＮ／ＡＤ／ＣＰＰ
（７）  ＰＥＴ／ＡＤ／ＯＮ／ＡＤ／ＡＬ／ＡＤ／ＬＬＤＰＥ
（８）  ＰＥＴ／ＡＤ／ＯＮ／ＡＤ／ＡＬ／ＡＤ／Ｓ−ＰＥ
（９）  ＰＥＴ／ＡＤ／ＯＮ／ＡＤ／ＡＬ／ＡＤ／ＣＰＰ
（１０）ＰＥＴ／ＡＤ／ＥＶＯＨ／ＡＤ／ＯＮ／ＡＤ／ＣＰＰ
（１１）ＯＮ／ＡＤ／Ｏ−ＨＤＰＥ／ＡＤ／ＬＬＤＰＥ
（１２）ＯＮ／ＡＤ／Ｏ−ＰＰ／ＡＤ／ＬＬＤＰＥ
尚、上記材質構成例を略号にて記載したが、略号はそれぞれ次の材質または層を示す。
ＯＮ：  二軸延伸ナイロンフィルム、ＡＤ：  接着剤、ＬＬＤＰＥ：  線状低密度ポリエチレン、ＡＬ：アルミニウム箔、Ｏ−ＨＤＰＥ：高密度ポリエチレンの一軸延伸フィルム、ＬＤＰＥ：  低密度ポリエチレン、Ｏ−ＰＰ：  ポリプロピレンの１軸延伸フィルム、Ｓ−ＰＥ：メタロセン系触媒を用いて重合したエチレン−α・オレフィン共重合体、ＰＥＴ：二軸延伸ポリエステルフィルム、ＣＰＰ：  未延伸ポリプロピレンフィルム、ＳｉＯＸ  ：シリカ、ＡＣ：アンカーコート、ＥＶＯＨ：エチレン・酢酸ビニル共重合体のけん化物であり、また（  ）は共押出しを示す。また、アンカーコートは、押出しコーティングで樹脂を積層する際、接着性を向上させるために基材フィルム側に予めコーティングするものでプライマーコートの一種である。そして、アルミニウム箔、シリカ蒸着層、ＥＶＯＨフィルムなどは、ガスバリア性を付与するために積層するものである。
【００３３】
【発明の効果】
以上説明してきたように、本願発明の底ガセット付き自立性袋及び底ガセット付き自立性体は、以下の効果を有する。
本願発明は、ピロー包装袋と同様に、筒面部の両側が折り癖が付与されたループになっていて背貼りシールが有り、かつ、スタンドパウチのように底ガセットを有する形態の底ガセット付き自立性袋を提供することができ、又、本願発明は、扁平筒にインフレーションチューブを採用することができ、この場合には、ピロー包装袋のような背貼りシールがなく、かつ、ピロー包装袋とは異なり、スタンドパウチのように底ガセットを有する形態の底ガセット付き自立性袋を提供することができる。包装対象として、ばらものの菓子、粉粒体、液体等に広く適用できる。
本願発明は、三方包装袋と底ガセット付き自立性袋の中間に位置する袋として、両側が折り癖が付与されたループになっていて背貼りシールが有る扁平袋でありながら、底ガセットが有る自立性袋を提供することができる。
本願発明の底ガセット付き自立性袋は、底ガセット付きであるにも関らず、底ガセット付きではない従来のピロー包装機における製袋に比較して複雑になることはなく、従来のピロー包装機をベースにして搬入コンベアを削除し、フォーマーを交換し、底ガセット挿入装置をついかするだけでの僅かな改良を加えることだけの十分に簡素な製袋機として構成することができ量産することが容易である。すなわち、原反から繰出される扁平筒形成用包材を逆さ台形板フォーマーに掛けて包材両縁を折り畳んでいき、さらに、延長平行板を包み込むように扁平に折り畳んでいき、包材両縁をヒートシール接続して連続する扁平筒を形成し、他方、扁平筒形成用包材が間欠走行を停止する度に、逆さ台形板フォーマーよりも上流側で、底面部を構成するための矩形包材を二つ折りにして扁平筒の幅一杯に収容される長さである底ガセットを扁平筒の幅に対応するように扁平筒形成用包材に載置し、製袋完了時に袋下端となるか又は袋側縁となる該底ガセットの端縁を扁平筒形成用包材に対して仮付けを施し、底ガセットを扁平筒形成用包材の間欠走行により移送して延長平行板の下流側で扁平筒内に位置させ、さらに下流側位置で、一対のボトムシール用ヒートシーラーで間欠停止する底ガセットに対応して扁平筒を挟圧することにより、少なくとも、底ガセットの内面であって二つ折りの外向きの両面の両側縁と下縁を扁平筒内の内面にボトムヒートシールを施し、続いて、各底ガセットの際で前後面用扁平筒を横に切り離しカットすることで、底ガセット付き自立性袋の量産製造が実現できる。
本願発明は、両側にナイフエッジのように掌に当たる触感を与えるサイドヒートシールリブを有する従来のスタンドパウチとは異なり、三方包装袋と同様に背貼りシールを有し両側がループになっている構成であり、両側がループになっているので掌に軟らかい触感を与えるとともに、開袋すると大きく開くことが容易であり最大では円筒状に開袋できる自立性を有し収容空間を大きく確保できてその分、袋を小さくすることができ、箱詰めや展示スペースにおいて実質的に省スペースになるのでメリットがある、底ガセット付き自立性袋を提供することができる。
又、従来のスタンドパウチの洗剤等の詰め替え袋では、狭窄出口を切り取って注入口を開いても扁平のままになり洗剤等が最後まで円滑に出し切ることができ難い不具合がある。この不具合の解消のため、例えば、特開２０００−０８５８０１のように、膨らみ部がプレス成型されているものがある。これに比べ、［請求項４］に記載の底ガセット付き自立性袋は、両側がループになっているので、内容物を注入するための袋開口と狭窄出口は一側がループの端縁となるから、両端が合掌シールされている口を開く場合に比べて、袋開口または狭窄出口を大きく開くことが容易でありかつ開いた状態に維持できるから狭窄出口に通じる膨らみ部を前面部及び後面部に設ける必要がなくなるというメリットがある。
【図面の簡単な説明】
【図１】［請求項１］に記載の発明の第一の実施の形態に係る底ガセット付き自立性袋の後面図であり、図１（ａ）は袋の後面図であり、図１（ｂ）は袋の分解図である。
【図２】図１の袋に使用される底ガセットの構成を説明するための折り込み工程図を示す。
【図３】図１の袋を用いた底ガセット付き自立性包装体を後面側上方より見た斜視図であり、図３（ａ）は開口を平たく閉じたタイプの袋の後面図であり、図３（ｂ）は開口の両側にトップサイドガセットを入れて閉じたタイプの袋の後面図である。
【図４】［請求項１］に記載の発明の第二の実施の形態に係る底ガセット付き自立性袋の後面図である。
【図５】［請求項１］に記載の発明の第三の実施の形態に係る底ガセット付き自立性袋の後面図であり、図５（ａ）は袋の後面図であり、図５（ｂ）は袋の分解図である。
【図６】図５の袋に使用される底ガセットの構成を説明するための折り込み工程図を示す。
【図７】図５の袋を用いた底ガセット付き自立性包装体を後面側上方より見た斜視図であり、図７（ａ）は開口を平たく閉じたタイプの袋の後面図であり、図７（ｂ）は開口の両側にトップサイドガセットを入れて閉じたタイプの袋の後面図である。
【図８】［請求項２］に記載の発明の実施の形態に係る底ガセット付き自立性袋の後面図である。
【図９】［請求項３］に記載の発明の実施の形態に係る底ガセット付き自立性袋の後面図である。
【図１０】［請求項４］に記載の発明の実施の形態に係る底ガセット付き自立性袋の後面図である。
【符号の説明】
Ｐ１Ａ・・・底ガセット付き自立性袋、１ａ・・・扁平筒、１ｂ・・・底ガセット、Ｔ・・・接続テープ、Ｐ１Ｂ・・・底ガセット付き自立性体、Ｐ１Ｃ・・・底ガセット付き自立性体、Ｓ１・・・背貼りシール、Ｓ２・・・ボトムヒートシール、
Ｐ２Ａ・・・底ガセット付き自立性袋、２ａ・・・扁平筒、２ｂ・・・底ガセット、
Ｐ３Ａ・・・底ガセット付き自立性袋、３ａ・・・扁平筒、３ｂ・・・底ガセット、Ｓ２’・・・突出シール部、Ｐ３Ｂ・・・底ガセット付き自立性体、Ｐ３Ｃ・・・底ガセット付き自立性体、
Ｐ４Ａ・・・底ガセット付き自立性袋、４ａ・・・扁平筒、４ｂ・・・底ガセット、Ｑ・・・スパウト、
Ｐ５Ａ・・・底ガセット付き自立性袋、５ａ・・・扁平筒、５ｂ・・・底ガセット、Ｚ・・・ジッパ、
Ｐ６Ａ・・・底ガセット付き自立性袋、６ａ・・・扁平筒、６ｂ・・・底ガセット、６１・・・袋開口、６２・・・注出口
【図１】
2004161288.tif 000003
【図２】
2004161288.tif 000004
【図３】
2004161288.tif 000005
【図４】
2004161288.tif 000006
【図５】
2004161288.tif 000007
【図６】
2004161288.tif 000008
【図７】
2004161288.tif 000009
【図８】
2004161288.tif 000010
【図９】
2004161288.tif 000011
【図１０】
2004161288.tif 000012